【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
被写体に放射線を照射することにより得られた画像データを画像処理する画像処理装置において、
前記画像データから前記被写体の領域を抽出する被写体領域抽出手段と、
前記被写体領域内の画素を一軸方向に投影して該軸上の平均画素値を算出する平均値算出手段と
を備えることを特徴とする画像処理装置。
【請求項２】
前記被写体領域手段は、す抜け領域及びす抜け領域と一定距離内にある領域に基づき被写体領域を抽出することを特徴とする請求項１に記載の画像処理装置。
【請求項３】
前記平均画素値は前記軸方向に投影した画素値の合計値を投影した画素数で除算して算出したことを特徴とする請求項１又は２に記載の画像処理装置。
【請求項４】
前記平均画素値の最大値に基づき諧調変換曲線を作成し、該諧調変換曲線に従い前記画像データをを諧調変換処理する諧調変換手段を備えることを特徴とする請求項１乃至３のいずれか１項に記載の画像処理装置。
【請求項５】
前記平均画素値から前記軸上の座標を選択し、被写体内の所定領域を該座標に基づき定める領域抽出手段と、
該所定領域内から特徴量として最大値、最小値、平均値等の統計量をとして算出する特徴量算出手段と、
該特徴量に基づき諧調変換曲線を作成し、該諧調変換曲線に従い前記画像データを諧調変換処理する諧調変換手段と
を備えることを特徴とする請求項１乃至３のいずれか１項に記載の画像処理装置。
【請求項６】
前記軸は、画像データのＹ軸又はＸ軸であることを特徴とする請求項１乃至５のいずれか１項に記載の画像処理装置。
【請求項７】
前記画像データは、
放射線を発生する放射線発生手段と、
被写体を透過した前記放射線を画像データとして取得するための２次元Ｘ線センサとで構成される放射線撮像装置で撮像されたことを特徴とする請求項１乃至６のいずれか１項に記載の画像処理装置。
【請求項８】
被写体に放射線を照射することにより得られた画像データを画像処理する画像処理方法において、
前記画像データから前記被写体の領域を抽出する被写体領域抽出工程と、
前記被写体領域内の画素を一軸方向に投影して該軸上の平均画素値を算出する平均値算出工程と
を備えることを特徴とする画像処理方法。
【請求項９】
被写体に放射線を照射することにより得られた画像データを画像処理するためにコンピュータを、
前記画像データから前記被写体の領域を抽出する被写体領域抽出手段と、
前記被写体領域内の画素を一軸方向に投影して該軸上の平均画素値を算出する平均値算出手段として機能させるためのプログラムを記録したコンピュータ読み取り可能な記憶媒体。
【請求項１０】
複数の機器が互いに通信可能に接続されてなる画像処理システムであって、
上記複数の機器のうち少なくとも１つの機器は、請求項１乃至７のいずれか１項に記載の画像処理装置の機能を有することを特徴とする画像処理システム。
【手続補正２】
【補正対象書類名】明細書
【補正対象項目名】０００７
【補正方法】変更
【補正の内容】
【０００７】
【課題を解決するための手段】
斯かる目的下において、第１の発明は、被写体に放射線を照射することにより得られた画像データを画像処理する画像処理装置において、前記画像データから前記被写体の領域を抽出する被写体領域抽出手段と、前記被写体領域内の画素を一軸方向に投影して該軸上の平均画素値を算出する平均値算出手段とを備えることを特徴とする。
【手続補正３】
【補正対象書類名】明細書
【補正対象項目名】０００８
【補正方法】変更
【補正の内容】
【０００８】
第２の発明は、上記第１の発明において、前記被写体領域手段は、す抜け領域及びす抜け領域と一定距離内にある領域に基づき被写体領域を抽出することを特徴とする。
【手続補正４】
【補正対象書類名】明細書
【補正対象項目名】０００９
【補正方法】変更
【補正の内容】
【０００９】
第３の発明は、上記第１又は２の発明において、前記平均画素値は前記軸方向に投影した画素値の合計値を投影した画素数で除算して算出したことを特徴とする。
【手続補正５】
【補正対象書類名】明細書
【補正対象項目名】００１０
【補正方法】変更
【補正の内容】
【００１０】
第４の発明は、上記第１乃至３のいずれか１つの発明において、前記平均画素値の最大値に基づき諧調変換曲線を作成し、該諧調変換曲線に従い前記画像データをを諧調変換処理する諧調変換手段を備えることを特徴とする。
【手続補正６】
【補正対象書類名】明細書
【補正対象項目名】００１１
【補正方法】変更
【補正の内容】
【００１１】
第５の発明は、上記第１乃至３のいずれか１つの発明において、前記平均画素値から前記軸上の座標を選択し、被写体内の所定領域を該座標に基づき定める領域抽出手段と、該所定領域内から特徴量として最大値、最小値、平均値等の統計量をとして算出する特徴量算出手段と、該特徴量に基づき諧調変換曲線を作成し、該諧調変換曲線に従い前記画像データを諧調変換処理する諧調変換手段とを備えることを特徴とする。
【手続補正７】
【補正対象書類名】明細書
【補正対象項目名】００１２
【補正方法】変更
【補正の内容】
【００１２】
第６の発明は、上記第１乃至５のいずれか１つの発明において、前記軸は、画像データのＹ軸又はＸ軸であることを特徴とする。
【手続補正８】
【補正対象書類名】明細書
【補正対象項目名】００１３
【補正方法】変更
【補正の内容】
【００１３】
第７の発明は、上記第１乃至６のいずれか１つの発明において、前記画像データは、放射線を発生する放射線発生手段と、被写体を透過した前記放射線を画像データとして取得するための２次元Ｘ線センサとで構成される放射線撮像装置で撮像されたことを特徴とする。
【手続補正９】
【補正対象書類名】明細書
【補正対象項目名】００１４
【補正方法】変更
【補正の内容】
【００１４】
第８の発明は、被写体に放射線を照射することにより得られた画像データを画像処理する画像処理方法において、前記画像データから前記被写体の領域を抽出する被写体領域抽出工程と、前記被写体領域内の画素を一軸方向に投影して該軸上の平均画素値を算出する平均値算出工程とを備えることを特徴とする。
【手続補正１０】
【補正対象書類名】明細書
【補正対象項目名】００１５
【補正方法】変更
【補正の内容】
【００１５】
第９の発明は、被写体に放射線を照射することにより得られた画像データを画像処理するためにコンピュータを、前記画像データから前記被写体の領域を抽出する被写体領域抽出手段と、前記被写体領域内の画素を一軸方向に投影して該軸上の平均画素値を算出する平均値算出手段として機能させるためのプログラムを記録したコンピュータ読み取り可能な記憶媒体である。
【手続補正１１】
【補正対象書類名】明細書
【補正対象項目名】００１６
【補正方法】変更
【補正の内容】
【００１６】
第１０の発明は、複数の機器が互いに通信可能に接続されてなる画像処理システムであって、上記複数の機器のうち少なくとも１つの機器は、請求項１乃至７のいずれか１項に記載の画像処理装置の機能を有することを特徴とする。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】